【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
粒子状固体、有機媒質およびポリウレタン分散剤を含む非水性組成物であって、該ポリウレタン分散剤が、ａ）本質的に直鎖のアンカー骨格セグメントに横方向に結合した、１個または複数の第３級窒素原子を含む第３級アミンおよび／または４級化第３級アミン基を含む少なくとも１つの該本質的に直鎖のアンカー骨格セグメントであって、該第３級アミン基の第３級窒素原子が少なくとも１個の介在原子によって該骨格から隔てられているアンカー骨格セグメントと、ｂ）該アンカー骨格セグメントの末端に結合した、ポリエステル、ポリエーテルまたはポリアクリレートの溶媒可溶性末端鎖（そうした末端鎖の混合物を含む）の１つまたは複数とを含む、組成物。
【請求項２】
前記第３級アミン基の第３級窒素原子の少なくとも２０モル％が４級化されている、請求項１に記載の組成物。
【請求項３】
前記本質的に直鎖のアンカー骨格セグメントが、第３級アミンおよび／または４級化第３級アミン成分（ｂ）と反応したイソシアネート成分（ａ）から誘導される反復単位から構成され、該イソシアネート成分（ａ）は反応性イソシアネート基を含み、該第３級アミンおよび／または４級化第３級アミン成分（ｂ）はイソシアネート基と反応性のある基を含み、該成分（ａ）の該反応性イソシアネート基の合計の約５０〜約９５モル％が、イソシアネート基と反応性のある該アミン成分（ｂ）上の基と反応して該アンカー骨格セグメントを形成している、請求項１または２に記載の組成物。
【請求項４】
前記１個または複数の第３級窒素原子が、３〜１０個の炭素原子によって前記本質的に直鎖の骨格から隔てられている、請求項１から３のいずれかに記載の組成物。
【請求項５】
前記溶媒可溶性末端鎖が、６０重量％未満のエチレンオキシドを含有するポリ（Ｃ２〜４−アルキレンオキシド）を含むポリエーテル鎖を含む、請求項１から４のいずれかに記載の組成物。
【請求項６】
前記溶媒可溶性末端鎖が、１〜２６個の炭素原子を含むヒドロキシカルボン酸またはそのラクトン（その混合物を含む）を重合させて得ることができる、または得られるポリエステル鎖を含む、請求項１から４のいずれかに記載の組成物。
【請求項７】
前記ラクトンが、少なくともε−カプロラクトンおよび／またはδ−バレロラクトンによる反復単位を含む、請求項６に記載の組成物。
【請求項８】
前記ポリウレタン分散剤が、前記本質的に直鎖のアンカー骨格セグメントから少なくとも１個の原子で隔てられている第３級アミン基中に、前記本質的に直鎖のアンカー骨格セグメントの重量に対して約１〜約４重量％の窒素原子を含む、請求項１から６のいずれかに記載の組成物。
【請求項９】
溶媒可溶性末端鎖の合計重量パーセントが、ポリウレタン分散剤の合計重量に対して５％以上である、請求項１から８のいずれかに記載の組成物。
【請求項１０】
前記ポリウレタン分散剤が、溶媒可溶性ポリエーテル、ポリエステルまたはポリアクリレート鎖によって互いに隔てられている、１分子当たり１つを超える本質的に直鎖のアンカー骨格セグメントを含む、請求項１から９のいずれかに記載の組成物。
【請求項１１】
ａ）本質的に直鎖のアンカー骨格セグメントに横方向に結合した第３級アミンおよび／または４級化第３級アミン基であって、該第３級アミン基の窒素原子が少なくとも１個の介在原子によって該骨格から隔てられている第３級アミンおよび／または４級化第３級アミン基を含む、少なくとも１つの該本質的に直鎖のアンカー骨格セグメントと、ｂ）ポリエステル、ポリエーテルまたはポリアクリレートの該アンカー骨格セグメントに末端で結合した溶媒可溶性末端鎖（そうした末端鎖の混合物を含む）を含むポリウレタン分散剤。
【請求項１２】
前記第３級アミン基の第３級窒素原子の少なくとも２０モル％が４級化されている、請求項１１に記載のポリウレタン分散剤。
【請求項１３】
前記第３級アミン基の前記窒素原子が、３〜１０個の炭素原子によって前記本質的に直鎖の骨格から隔てられている、請求項１１から１２のいずれかに記載のポリウレタン分散剤。
【請求項１４】
前記溶媒可溶性末端鎖が、６０重量％未満のエチレンオキシドを含有するポリ（Ｃ２〜４−アルキレンオキシド）を含むポリエーテル鎖を含む、請求項１１から１２のいずれかに記載のポリウレタン分散剤。
【請求項１５】
前記溶媒可溶性末端鎖が、１〜２６個の炭素原子を含むヒドロキシカルボン酸またはそのラクトン（その混合物を含む）を重合させて得ることができる、または得られるポリエステル鎖を含む、請求項１１から１４のいずれかに記載のポリウレタン分散剤。
【請求項１６】
前記ラクトンが、少なくともε−カプロラクトンおよび／またはδ−バレロラクトンによる反復単位を含む、請求項１５に記載のポリウレタン分散剤。
【請求項１７】
前記ポリウレタン分散剤が、前記本質的に直鎖のアンカー骨格セグメントから少なくとも１個の原子で隔てられている第３級アミン基中に、該本質的に直鎖のアンカー骨格セグメントの重量に対して約１〜約４重量％の窒素原子を含む、請求項１１から１６のいずれかに記載のポリウレタン分散剤。
【請求項１８】
溶媒可溶性末端鎖の合計重量パーセントが、ポリウレタン分散剤の合計重量に対して５％以上である、請求項１１から１７のいずれかに記載のポリウレタン分散剤。
【請求項１９】
ａ）非水性ミルベース、ｂ）塗料またはｃ）インクの形態の請求項１に記載の組成物。
【手続補正２】
【補正対象書類名】明細書
【補正対象項目名】０００４
【補正方法】変更
【補正の内容】
【０００４】
（発明の要旨）
本発明によれば、粒子状固体、有機媒質、ならびに、ポリエステル、ポリエーテルおよび／またはポリアクリレートの末端に結合した溶媒可溶性末端鎖（そうした末端鎖の混合体を含む）を備えた二官能性ウレタン形成反応物から誘導される１つまたは複数の本質的に直鎖のアンカー骨格セグメントと、前記アンカー骨格セグメント上に第３級アミンおよび／または４級化第３級アミンを備えた横方向結合基とを有する、ポリウレタン分散剤を含む非水性組成物を提供する。一実施形態では、その第３級アミンの窒素原子は、１〜２０個の介在原子によってアンカー骨格から隔てられていることが望ましい。一実施形態では、その本質的に直鎖のアンカー骨格セグメントは、ジイソシアネートがイソシアネートと反応性のある２個の基を有する化合物および三級および／または４級化アミン基と反応することによって形成される。一実施形態では、本質的に直鎖のアンカー骨格セグメントを形成するのに用いられる前記ジイソシアネートのすべてのイソシアネート基のうちの約５０〜約９５モル％が、イソシアネート基と反応性でありかつ第３級アミンおよび／または４級化第３級アミン基を有する２個の基を備えた前記化合物と反応する。第３級アミン基（任意選択で４級化されている）は、粒子材料をコロイド的に安定化させるのがいくらか困難な分散剤をアンカリングするのに特に活性であることが分かっている。一実施形態では、第３級アミン基のうちの相当な割合が４級化されている。ポリウレタン分散剤はまた、非水性組成物とは別に、説明され、かつ特許請求される。指定された化合物グループから分散剤を作製する方法も提供する。
本発明は、例えば以下の項目を提供する。
（項目１）
粒子状固体、有機媒質およびポリウレタン分散剤を含む非水性組成物であって、該ポリウレタン分散剤が、ａ）本質的に直鎖のアンカー骨格セグメントに横方向に結合した、１個または複数の第３級窒素原子を含む第３級アミンおよび／または４級化第３級アミン基を含む少なくとも１つの該本質的に直鎖のアンカー骨格セグメントであって、該第３級アミン基の第３級窒素原子が少なくとも１個の介在原子によって該骨格から隔てられているアンカー骨格セグメントと、ｂ）該アンカー骨格セグメントの末端に結合した、ポリエステル、ポリエーテルまたはポリアクリレートの溶媒可溶性末端鎖（そうした末端鎖の混合物を含む）の１つまたは複数とを含む、組成物。
（項目２）
前記第３級アミン基の第３級窒素原子の少なくとも２０モル％が４級化されている、項目１に記載の組成物。
（項目３）
前記本質的に直鎖のアンカー骨格セグメントが、第３級アミンおよび／または４級化第３級アミン成分（ｂ）と反応したイソシアネート成分（ａ）から誘導される反復単位から構成され、該イソシアネート成分（ａ）は反応性イソシアネート基を含み、該第３級アミンおよび／または４級化第３級アミン成分（ｂ）はイソシアネート基と反応性のある基を含み、該成分（ａ）の該反応性イソシアネート基の合計の約５０〜約９５モル％が、イソシアネート基と反応性のある該アミン成分（ｂ）上の基と反応して該アンカー骨格セグメントを形成している、項目１または２に記載の組成物。
（項目４）
前記成分（ａ）の前記反応性イソシアネート基の約７５〜約９５モル％が、イソシアネート基と反応性のある前記アミン成分（ｂ）上の基と反応している、項目３に記載の組成物。
（項目５）
前記１個または複数の第３級窒素原子が、２０個未満の原子によって前記本質的に直鎖の骨格から隔てられている、項目１から４のいずれかに記載の組成物。
（項目６）
前記１個または複数の第３級窒素原子が、３〜１０個の炭素原子によって前記本質的に直鎖の骨格から隔てられている、項目１から４のいずれかに記載の組成物。
（項目７）
前記溶媒可溶性末端鎖が、６０重量％未満のエチレンオキシドを含有するポリ（Ｃ２〜４−アルキレンオキシド）を含むポリエーテル鎖を含む、項目１から６のいずれかに記載の組成物。
（項目８）
前記溶媒可溶性末端鎖が、１〜２６個の炭素原子を含むヒドロキシカルボン酸またはそのラクトン（その混合物を含む）を重合させて得ることができる、または得られるポリエステル鎖を含む、項目１から６のいずれかに記載の組成物。
（項目９）
前記ラクトンが、少なくともε−カプロラクトンおよび／またはδ−バレロラクトンによる反復単位を含む、項目８に記載の組成物。
（項目１０）
ポリエステル、ポリエーテルまたはポリアクリレート鎖の前記溶媒可溶性末端鎖の数平均分子量が５００〜１０，０００ダルトンである、項目１から７および４１のいずれかに記載の組成物。
（項目１１）
前記ポリウレタン分散剤が、本質的に直鎖のアンカー骨格セグメントから少なくとも１個の原子で隔てられている第３級アミン基中に、本質的に直鎖のアンカー骨格セグメントの重量に対して約１〜約４重量％の窒素原子を含む、項目１から８のいずれかに記載の組成物。
（項目１２）
前記ポリウレタン分散剤が、３２から５００ダルトン未満の数平均分子量を有する前記本質的に直鎖のアンカーセグメント中にウレタン形成成分（ｃ）の残基をさらに含む、項目１から１１のいずれかに記載の組成物。
（項目１３）
溶媒可溶性末端鎖の合計重量パーセントが、ポリウレタン分散剤の合計重量に対して５％以上である、項目１から１２のいずれかに記載の組成物。
（項目１４）
前記ポリウレタン分散剤が、１分子当たり約０．９〜約１．１個の本質的に直鎖のアンカー骨格セグメントと、１分子当たり約１．８〜約２．２個のポリエステル、ポリエーテルまたはポリアクリレートの溶媒可溶性鎖（前記末端鎖の混合物を含む）を含む、項目１から１３のいずれかに記載の組成物。
（項目１５）
前記ポリウレタン分散剤が、溶媒可溶性ポリエーテル、ポリエステルまたはポリアクリレート鎖によって互いに隔てられている、１分子当たり１つを超える本質的に直鎖のアンカー骨格セグメントを含む、項目１から１３のいずれかに記載の組成物。
（項目１６）
前記ポリウレタン分散剤が、溶媒可溶性ポリエーテル、ポリエステルまたはポリアクリレート鎖が介在することによって互いに隔てられている１分子当たり約１．５〜約３．５個の本質的に直鎖のアンカー骨格セグメントを含む、項目１５に記載の組成物。
（項目１７）
前記ポリウレタン分散剤が、１分子当たり約１．８〜約２．２個の末端溶媒可溶性ポリエーテル、ポリエステルまたはポリアクリレート鎖を含む、項目１５または１６に記載の組成物。
（項目１８）
前記末端溶媒可溶性ポリエーテル、ポリエステルまたはポリアクリレート鎖および前記介在型溶媒可溶性ポリマー（存在する場合）が、約５００〜約５０００ダルトンの数平均分子量を有する、項目１４から１７のいずれかに記載の組成物。
（項目１９）
ａ）本質的に直鎖のアンカー骨格セグメントに横方向に結合した第３級アミンおよび／または４級化第３級アミン基であって、該第３級アミン基の窒素原子が少なくとも１個の介在原子によって該骨格から隔てられている第３級アミンおよび／または４級化第３級アミン基を含む、少なくとも１つの該本質的に直鎖のアンカー骨格セグメントと、ｂ）ポリエステル、ポリエーテルまたはポリアクリレートの該アンカー骨格セグメントに末端で結合した溶媒可溶性末端鎖（そうした末端鎖の混合物を含む）を含むポリウレタン分散剤。
（項目２０）
前記第３級アミン基の第３級窒素原子の少なくとも２０モル％が４級化されている、項目１９に記載のポリウレタン分散剤。
（項目２１）
前記本質的に直鎖のアンカー骨格セグメントが、第３級アミンおよび／または４級化第３級アミン成分（ｂ）と反応したイソシアネート成分（ａ）から誘導される反復単位から構成され、該イソシアネート成分（ａ）は反応性イソシアネート基を含み、該第３級アミンおよび／または４級化第３級アミン成分（ｂ）はイソシアネート基と反応性のある基を含み、該成分（ａ）中の該反応性イソシアネート基の合計の約５０〜約９５モル％が、イソシアネート基と反応性のある該アミン成分（ｂ）上の基と反応して該本質的に直鎖のアンカー骨格セグメントを形成している、項目１９または２０に記載のポリウレタン分散剤。
（項目２２）
前記成分（ａ）の前記反応性イソシアネート基の約７５〜約９５モル％が、イソシアネート基と反応性のある前記アミン成分（ｂ）上の基と反応している、項目２１に記載のポリウレタン分散剤。
（項目２３）
前記第３級アミンの第３級窒素原子が、２０個未満の原子によって前記本質的に直鎖の骨格から隔てられている、項目１９から２２のいずれかに記載のポリウレタン分散剤。
（項目２４）
前記第３級アミン基の前記窒素原子が、３〜１０個の炭素原子によって前記本質的に直鎖の骨格から隔てられている、項目１９から２２のいずれかに記載のポリウレタン分散剤。
（項目２５）
前記溶媒可溶性末端鎖が、６０重量％未満のエチレンオキシドを含有するポリ（Ｃ２〜４−アルキレンオキシド）を含むポリエーテル鎖を含む、項目１９から２２のいずれかに記載のポリウレタン分散剤。
（項目２６）
前記溶媒可溶性末端鎖が、１〜２６個の炭素原子を含むヒドロキシカルボン酸またはそのラクトン（その混合物を含む）を重合させて得ることができる、または得られるポリエステル鎖を含む、項目１９から２５のいずれかに記載のポリウレタン分散剤。
（項目２７）
前記ラクトンが、少なくともε−カプロラクトンおよび／またはδ−バレロラクトンによる反復単位を含む、項目２６に記載のポリウレタン分散剤。
（項目２８）
ポリエステル、ポリエーテルまたはポリアクリレート鎖の前記溶媒可溶性末端鎖の数平均分子量が５００〜１０，０００ダルトンである、項目１９から２６のいずれかに記載のポリウレタン分散剤。
（項目２９）
前記ポリウレタン分散剤が、本質的に直鎖のアンカー骨格セグメントから少なくとも１個の原子で隔てられている第３級アミン基中に、該本質的に直鎖のアンカー骨格セグメントの重量に対して約１〜約４重量％の窒素原子を含む、項目１９から２８のいずれかに記載のポリウレタン分散剤。
（項目３０）
前記ポリウレタン分散剤が、３２から５００ダルトン未満の数平均分子量を有するウレタン形成化合物の残基をさらに含む、項目１９から２９のいずれかに記載のポリウレタン分散剤。
（項目３１）
溶媒可溶性末端鎖の合計重量パーセントが、ポリウレタン分散剤の合計重量に対して５％以上である、項目１９から３０のいずれかに記載のポリウレタン分散剤。
（項目３２）
前記ポリウレタン分散剤が、１分子当たり約０．９〜約１．１個の本質的に直鎖のアンカー骨格セグメントと、１分子当たり約１．８〜約２．２個のポリエステル、ポリエーテルまたはポリアクリレートの溶媒可溶性鎖（前記末端鎖の混合物を含む）を含む、項目１９から３１のいずれかに記載のポリウレタン分散剤。
（項目３３）
前記ポリウレタン分散剤が、溶媒可溶性ポリエーテル、ポリエステルまたはポリアクリレートポリマーセグメントによって互いに隔てられている、１分子当たり１つを超える本質的に直鎖のアンカー骨格セグメントを含む、項目１９から３２のいずれかに記載のポリウレタン分散剤。
（項目３４）
前記ポリウレタン分散剤が、溶媒可溶性ポリエーテル、ポリエステルまたはポリアクリレートポリマー鎖が介在することによって互いに隔てられている１分子当たり約１．５〜約３．５個の本質的に直鎖のアンカー骨格セグメントを含む、項目３３に記載のポリウレタン分散剤。
（項目３５）
前記ポリウレタン分散剤が、１分子当たり約１．８〜約２．２個の末端溶媒可溶性ポリエーテル、ポリエステルまたはポリアクリレート鎖を含む、項目３４に記載のポリウレタン分散剤。
（項目３６）
前記末端溶媒可溶性ポリエーテル、ポリエステルまたはポリアクリレート鎖および前記介在型溶媒可溶性ポリマー（存在する場合）が、約５００〜約５０００ダルトンの数平均分子量を有する、項目３２から３５のいずれかに記載のポリウレタン分散剤。
（項目３７）
ａ）非水性ミルベース、ｂ）塗料またはｃ）インクの形態の項目１に記載の組成物。
（項目３８）
膜形成樹脂をさらに含む、項目３７に記載の組成物。
（項目３９）
ａ）２．０〜２．５個の平均官能基を有する１つまたは複数のポリイソシアネート；
ｂ）式
【化７】
2011524434.tif 000001
（式中、ＲαおよびＲβはそれぞれ独立に、アルキル、アラルキル、シクロアルキルまたはアリールであり、イソシアネートと反応できる基を含まず、ＲαおよびＲβは一緒に５〜８個の炭素原子を含む環状構造を形成することができ、Ｒγはイソシアネートと反応する約２個の基を含む部分である）
の第３級および／または４級化第３級アミノ基を有する、その塩を含む１つまたは複数の化合物、
ｃ）任意選択で、イソシアネートと反応する少なくとも２個の基を有する、３２から５００ダルトン未満の数平均分子量を有する１つまたは複数の形成化合物；
ｄ）ポリエステル、ポリエーテルまたはポリアクリレート鎖と、化合物の一端の近傍に位置するイソシアネートと反応し、その結果、該ポリエステル、ポリエーテルまたはポリアクリレート鎖が、アンカー骨格セグメントに関して末端に配置されるようになる約１個の基を有する１つまたは複数の溶媒可溶性鎖、および、
ｅ）任意選択で、少なくとも１つのポリエステル、ポリエーテルまたはポリアクリレート鎖と、前記鎖の各末端の近傍に位置するイソシアネートと反応し、その結果、該ポリエステル、ポリエーテルまたはポリアクリレート鎖が、それらに連結する２つの別個のアンカー骨格セグメントを鎖延長することができる約２個の基を有する１つまたは複数の溶媒可溶性鎖
を一緒に反応させることを含むポリウレタン分散剤の作製方法。
（項目４０）
前記ａ）１つまたは複数のポリイソシアネートを、前記ｂ）第３級および／または４級化第３級アミノ基を有する１つまたは複数の化合物、およびｃ）任意選択の１つまたは複数の形成化合物と反応させて少なくとも１つの本質的に直鎖のアンカーセグメントを形成する、項目２７に記載の方法。
（項目４１）
前記溶媒可溶性末端鎖がポリアクリレート末端鎖を含む、項目１から６のいずれかに記載の組成物。
（項目４２）
前記溶媒可溶性末端鎖がポリアクリレート末端鎖を含む、項目１９から２５のいずれかに記載のポリウレタン分散剤。